(57)【要約】【課題】構成簡素で、組立てが簡単に正確に行え、稜線部が綺麗にシャープに形成でき、外観上の体裁が良く、高級感があり、再利用でき、強度や耐久性に優れ、変形し難く、量産に適し、コストダウンが可能で、低廉で、経済的で、綺麗な包装用装飾箱を提供する。【解決手段】本体は底箱Ａと中枠箱Ｂで構成し、蓋は底箱Ａと略同一構造の蓋箱Ｃで構成し、底箱Ａは内枠体１と外枠体５と外装紙９を備え、内枠体１は、厚板状の底板３と、底板３の周縁に深い切込線４ａを介して連設する厚板状の複数の側板４と、底板３及び側板４の内表面を覆うよう接着する内装紙２とで構成し、外枠体５は、薄板状の底片６と、底片６の周縁に浅い切込線を設けた折目線を介して連設する薄板状の複数の側片７と、隣設する側片７の端部相互を連結する接着テープ８とで構成し、外装紙９は、少なくとも外枠体５の外表面及び内枠体１の側板４の上端面及び内装紙２の一部を覆うように接着する。【選択図】図３
0003126869.tif 000002
【実用新案登録請求の範囲】
【請求項１】
本体と、この本体の上部開口部分を施蓋自在な蓋とからなる包装用装飾箱であって、前記本体は、上部が開放された底箱と、その下部が底箱に内嵌状に固着される中枠箱とで構成し、前記蓋は底箱と略同一な構造となると共に中枠箱の上部に外冠状に施蓋自在な蓋箱で構成し、底箱は、上部が開放された内枠体と、この内枠体が内嵌される外枠体と、外装紙とを備え、内枠体は、厚板状の底板と、この底板の周縁に深い切込線を介して連設される厚板状の複数の側板と、底板及び側板の内表面を覆うように接着してある内装紙とで構成し、外枠体は、薄板状の底片と、この底片の周縁に浅い切込線を設けた折目線或いは細い折目線を介して連設される薄板状の複数の側片と、隣設する側片の端部相互を連結する接着テープとで構成し、外装紙は、少なくとも外枠体の外表面及び内枠体の側板の上端面及び内装紙の一部を覆うように接着したことを特徴とする包装用装飾箱。
【請求項２】
本体と、この本体の上部開口部分を施蓋自在な蓋とからなる包装用装飾箱であって、前記本体は、上部が開放された矩形箱状の底箱と、その下部が底箱に内嵌状に固着される略額縁状の中枠箱とで構成し、前記蓋は底箱と略同一な構造となると共に中枠箱の上部に外冠状に施蓋自在な蓋箱で構成し、底箱は、上部が開放された矩形箱状の内枠体と、この内枠体が内嵌される上部が開放された矩形箱状の外枠体と、この外枠体の外表面を覆う外装紙とを備え、内枠体は、矩形厚板状の底板と、この底板の周縁に深い切込線を介して連設される細長矩形厚板状の四枚の側板と、底板及び側板の内表面を覆うと共に底板と側板とを連結するように接着してある内装紙とで構成し、外枠体は、矩形薄板状の底片と、この底片の周縁に浅い切込線を設けた折目線或いは細い折目線を介して連設される細長矩形薄板状の四枚の側片と、隣設する側片の端部相互を連結する接着テープとで構成し、外装紙は、少なくとも外枠体の外表面及び内枠体の側板の上端面及び内装紙の一部を覆うように接着したことを特徴とする包装用装飾箱。
【請求項３】
蓋箱で中枠箱を施蓋したときに、底箱の上端周縁と蓋箱の下端周縁との間に指掛け用の隙間が周設されるように構成したことを特徴とする請求項１または請求項２記載の包装用装飾箱。
【考案の詳細な説明】
【技術分野】
【０００１】
本考案は、例えば、チョコレート等の適宜菓子類や、適宜食品類や、アクセサリー等の適宜装身具類や、その他の適宜商品等を収納できるようにした包装用装飾箱に係り、特に、その組立てが容易で、稜線部が綺麗に且つシャープに形成でき、外観上の体裁が良く、変形し難く、強度が高く、耐久性に優れ、取扱い易いものとなるように工夫した包装用装飾箱に関するものである。
【背景技術】
【０００２】
従来、この種の包装用装飾箱としては、例えば、特許文献１のような紙箱が開示されている。すなわち、この紙箱は、外箱と中箱と上蓋とからなり、これらは、所定の形状に裁断した１枚の紙（ダンボール）を折り曲げると共に、間に空間を有す２重構造として組み立て、外箱には中箱をセットし、これに上蓋を被せることができるように構成されたものである。
【０００３】
【特許文献１】特開２０００−２４７３２６
【考案の開示】
【考案が解決しようとする課題】
【０００４】
ところが前述の如き紙箱にあっては、１枚の紙（ダンボール）を折り曲げて、外箱、中箱、上蓋を構成しているが、比較的厚い紙（ダンボール）で、外箱、中箱、上蓋を構成すると、その稜線部分が湾曲面となり、シャープで綺麗な稜線部分が得られない難点があった。
また、比較的薄い紙（ダンボール）で、外箱、中箱、上蓋を構成すると、その強度が著しく低下して、変形し易く、耐久性に乏しい難点や、稜線部分が小さな湾曲面となり、シャープで綺麗な稜線部分が期待できない難点等があった。
尚、ダンボール以外の比較的厚い紙に、Ｖ字状の溝を削成して外箱、中箱、上蓋を構成した場合でも、その稜線部分に小さな湾曲面が残り、シャープで綺麗な稜線部分が期待できない難点等があった。しかも、Ｖ字状の溝の削成が面倒となる難点もあった。
そこで、本願考案者は、その組立てが熟練を要することなく誰でも簡単に行え、稜線部が綺麗に且つシャープに形成でき、外観上の体裁が良く、変形し難く、強度が高く、耐久性に優れ、取扱い易い包装用装飾箱を提供すべく案出したものである。
【課題を解決するための手段】
【０００５】
しかして、前述の如き課題等を達成すべく、請求項１記載の包装用装飾箱にあっては、本体と、この本体の上部開口部分を施蓋自在な蓋とからなる包装用装飾箱であって、前記本体は、上部が開放された底箱Ａと、その下部が底箱Ａに内嵌状に固着される中枠箱Ｂとで構成し、前記蓋は底箱Ａと略同一な構造となると共に中枠箱Ｂの上部に外冠状に施蓋自在な蓋箱Ｃで構成し、底箱Ａは、上部が開放された内枠体１と、この内枠体１が内嵌される外枠体５と、外装紙９とを備え、内枠体１は、厚板状の底板３と、この底板３の周縁に深い切込線４ａを介して連設される厚板状の複数の側板４と、底板３及び側板４の内表面を覆うように接着してある内装紙２とで構成し、外枠体５は、薄板状の底片６と、この底片６の周縁に浅い切込線を設けた折目線或いは細い折目線を介して連設される薄板状の複数の側片７と、隣設する側片７の端部相互を連結する接着テープ８とで構成し、外装紙９は、少なくとも外枠体５の外表面及び内枠体１の側板４の上端面及び内装紙２の一部を覆うように接着する手段を採用した。
【０００６】
また、請求項２記載の包装用装飾箱にあっては、本体と、この本体の上部開口部分を施蓋自在な蓋とからなる包装用装飾箱であって、前記本体は、上部が開放された矩形箱状の底箱Ａと、その下部が底箱Ａに内嵌状に固着される略額縁状の中枠箱Ｂとで構成し、前記蓋は底箱Ａと略同一な構造となると共に中枠箱Ｂの上部に外冠状に施蓋自在な蓋箱Ｃで構成し、底箱Ａは、上部が開放された矩形箱状の内枠体１と、この内枠体１が内嵌される上部が開放された矩形箱状の外枠体５と、この外枠体５の外表面を覆う外装紙９とを備え、内枠体１は、矩形厚板状の底板３と、この底板３の周縁に深い切込線４ａを介して連設される細長矩形厚板状の四枚の側板４と、底板３及び側板４の内表面を覆うと共に底板３と側板４とを連結するように接着してある内装紙２とで構成し、外枠体５は、矩形薄板状の底片６と、この底片６の周縁に浅い切込線を設けた折目線或いは細い折目線を介して連設される細長矩形薄板状の四枚の側片７と、隣設する側片７の端部相互を連結する接着テープ８とで構成し、外装紙９は、少なくとも外枠体５の外表面及び内枠体１の側板４の上端面及び内装紙２の一部を覆うように接着する手段を採用した。
【０００７】
更に、請求項３記載の包装用装飾箱にあっては、蓋箱Ｃで中枠箱Ｂを施蓋したときに、底箱Ａの上端周縁と蓋箱Ｃの下端周縁との間に指掛け用の隙間が周設されるように構成する手段を採用した。
【考案の効果】
【０００８】
従って、本考案の請求項１記載の包装用装飾箱によれば、構成が簡素で、その組立てが熟練を要することなく誰でも簡単に且つ正確に行えるようになる。
特に、底板３の周縁に深い切込線４ａを介して複数の側板４を連設したことと、比較的厚い底板３や側板４を利用することができることと、比較的薄い底片６や側片７を利用することができることとにより、強度や、耐久性等を損なうことなく、稜線部が綺麗に且つシャープに形成できるようになり、外観上の体裁が良く、高級感のある包装用装飾箱となる。ひいては、適宜商品の取出し後に、廃棄されることなく収納箱として再利用されるようになる。
しかも、強度や耐久性に優れ、変形し難く、量産に適し、更に、底箱Ａと蓋箱Ｃとが同じ構造であるため、底箱Ａを蓋箱Ｃとして（或いは蓋箱Ｃを底箱Ａとして）利用でき、コストダウンが図れ、より低廉に提供可能な経済的な包装用装飾箱となる。
加えて、外装紙９に予め任意の印刷を施し易くなり、より綺麗な包装用装飾箱を提供し易くなる。
【０００９】
また、本考案の請求項２記載の包装用装飾箱によれば、構成が簡素で、その組立てが熟練を要することなく誰でも簡単に且つ正確に行えるようになる。
特に、底板３の周縁に深い切込線４ａを介して複数の側板４を連設したことと、比較的厚い底板３や側板４を利用することができることと、比較的薄い底片６や側片７を利用することができることとにより、強度や、耐久性等を損なうことなく、稜線部が綺麗に且つシャープに形成できるようになり、外観上の体裁が良く、高級感のある包装用装飾箱となる。ひいては、適宜商品の取出し後に、廃棄されることなく収納箱として再利用されるようになる。
しかも、強度や耐久性に優れ、変形し難く、量産に適し、更に、底箱Ａと蓋箱Ｃとが同じ構造であるため、底箱Ａを蓋箱Ｃとして（或いは蓋箱Ｃを底箱Ａとして）利用でき、コストダウンが図れ、より低廉に提供可能な経済的な包装用装飾箱となる。
加えて、外装紙９に予め任意の印刷を施し易くなり、より綺麗な包装用装飾箱を提供し易くなる。
【００１０】
更に、本考案の請求項３記載の包装用装飾箱によれば、指掛け用の隙間に手指を掛け易くなり、蓋箱Ｃの取外しがより簡単に行え、取扱い易い包装用装飾箱となる。
【考案を実施するための最良の形態】
【００１１】
以下、本考案を図示例に基づいて説明すると、次の通りである。
本考案の包装用装飾箱は、本体と、この本体の上部開口部分を施蓋自在な蓋とからなるものであって、前記本体は、上部が開放された底箱Ａと、その下部が底箱Ａに内嵌状に固着される中枠箱Ｂとで構成し、前記蓋は底箱Ａと略同一な構造となると共に中枠箱Ｂの上部に外冠状に施蓋自在な蓋箱Ｃで構成されたものである。
そして、底箱Ａは、上部が開放された内枠体１と、この内枠体１が内嵌される外枠体５と、外装紙９とを備えている。
また、内枠体１は、厚板状の底板３と、この底板３の周縁に深い切込線４ａを介して連設される厚板状の複数の側板４と、底板３及び側板４の内表面を覆うように接着してある内装紙２とで構成してある。
更に、外枠体５は、薄板状の底片６と、この底片６の周縁に浅い切込線を設けた折目線或いは細い折目線を介して連設される薄板状の複数の側片７と、隣設する側片７の端部相互を連結する接着テープ８とで構成されており、外装紙９は、少なくとも外枠体５の外表面及び内枠体１の側板４の上端面及び内装紙２の一部を覆うように接着して構成されている。
しかも、蓋箱Ｃで中枠箱Ｂを施蓋したときに、底箱Ａの上端周縁と蓋箱Ｃの下端周縁との間に指掛け用の隙間が周設されるように構成されている。
【実施例】
【００１２】
前記本体は、例えば、上部が開放された矩形箱状の底箱Ａと、その下部が底箱Ａに内嵌状に固着される略額縁状の中枠箱Ｂとで構成されている。
【００１３】
前記蓋は、例えば、底箱Ａと同一な構造、形状に形成され、中枠箱Ｂの上部に外冠状に施蓋自在な蓋箱Ｃで構成されている。
【００１４】
また、前記底箱Ａは、例えば、上部が開放された矩形箱状の内枠体１と、この内枠体１が内嵌される上部が開放された矩形箱状の外枠体５と、この外枠体５の外表面を覆う外装紙９とを備えたものである。
【００１５】
そして、前記内枠体１は、例えば、矩形厚板状の底板３と、この底板３の周縁に深い切込線４ａを介して連設される細長矩形厚板状の四枚の側板４と、底板３及び側板４の内表面を覆うと共に底板３と側板４とを連結するように接着してある内装紙２とで構成されている。
【００１６】
前記内装紙２は、例えば、底板３の上面と、複数（例えば、四枚）の側板４の内表面とを覆えるような形状に形成されていると共に、これらに接着されている。すなわち、内装紙２は、内枠体１の内表面を綺麗に覆うと共に、底板３と複数の側板４とを折曲げ可能（内側にのみ折曲げ可能）に連結できるよう形成されている。
【００１７】
前記底板３は、例えば、矩形状の厚紙等（或いは、適宜合成樹脂材や適宜複合材等で構成しても良い）で形成されている。
【００１８】
前記側板４は、例えば、細長矩形状の厚紙等（或いは、適宜合成樹脂材や適宜複合材等で構成しても良い）で形成されており、底板３の外周縁に内装紙２を介して夫々連設されている。しかも、側板４は、底板３の各端縁の長さよりその厚み分長く形成されており、側板４夫々を折起こした時に、側板４の一方の端面が隣接する側板４の内表面に当接し、綺麗でバランスの良い矩形枠状となるように形成されている。
【００１９】
前記切込線４ａは、例えば、内枠体１となる厚板紙の裏面から適宜切刃によって設けられるもので、かなり深く形成され（少なくとも、表面がわに接着された内装紙２を残すように形成され）、側板４をスムーズに折起こせるように構成したものであれば良い。
【００２０】
前記外枠体５は、例えば、矩形薄板状の底片６と、この底片６の周縁に浅い切込線を設けた折目線或いは細い折目線を介して連設される細長矩形薄板状の四枚の側片７と、隣設する側片７の端部相互を連結する接着テープ８とで構成されている。すなわち、底片６に対して側片７を折起こした時に、その稜線部分がシャープで綺麗なものとなるように配慮してある。
【００２１】
前記底片６は、例えば、コートボール等の比較的薄い矩形状の紙材等（或いは、適宜合成樹脂材や適宜複合材等で構成しても良い）で形成されている。しかも、底板３より僅かに大きい矩形状に形成されていると共に、その上面に接着剤を介して底板３が接着されている。
【００２２】
前記側片７は、例えば、コートボール等の比較的薄い細長矩形状の紙材等（或いは、適宜合成樹脂材や適宜複合材等で構成しても良い）で形成されており、比較的浅い切込線を設けた折目線（或いは細い折目線でも良い）を介して底板３の各端縁に折曲げ自在に連設されている。しかも、側板４より僅かに大きい細長矩形状に形成されていると共に、その内表面に接着剤を介して側板４が接着されている。
【００２３】
前記接着テープ８は、例えば、隣設する側片７の端部相互に跨るように外表面がわに接着されて、隣設する側片７の端部相互を略直角に連結できるように形成されている。
【００２４】
前記外装紙９は、例えば、外枠体５の外表面と、内枠体１の側板４の上端面と、内装紙２の一部（少なくとも上部がわ内表面）に跨って、これらを綺麗に覆うように接着されるものである。尚、外装紙９の表面には、適宜印刷を予め施しておき、より綺麗な装飾効果が発揮されるように形成しても良い。
【００２５】
前記中枠箱Ｂは、例えば、比較的厚みのある略額縁状に形成され、その下部が底箱Ａに綺麗に内嵌されると共に、適宜接着剤によって底箱Ａに固着されるようになっている。しかも、中枠箱Ｂの上部は、底箱Ａの上端部分よりかなり上方に突出するように形成されている。
【００２６】
前記蓋箱Ｃは、例えば、底箱Ａと同一な構造、形状のものが利用され、上下を逆にして使用される。尚、蓋箱Ｃは、その高さを底箱Ａより低くしたり、高くしたり形成することが可能である。
【００２７】
ところで、包装用装飾箱の具体的構成、形状、寸法、材質、底箱Ａの具体的構成、形状、寸法、材質、中枠箱Ｂの具体的構成、形状、寸法、材質、蓋箱Ｃの具体的構成、形状、寸法、材質、内枠体１の具体的構成、形状、寸法、材質、内装紙２の具体的構成、形状、寸法、材質、底板３の具体的構成、形状、寸法、材質、側板４の具体的構成、形状、寸法、材質、数、切込線４ａの具体的構成、形状、寸法、配設位置、外枠体５の具体的構成、形状、寸法、材質、底片６の具体的構成、形状、寸法、材質、側片７の具体的構成、形状、寸法、材質、数、接着テープ８の具体的構成、形状、寸法、材質、配設位置、外装紙９の具体的構成、形状、寸法、材質等は図示例のもの等に限定されることなく適宜自由に設定、変更できるものである。
【図面の簡単な説明】
【００２８】
【図１】本考案の包装用装飾箱を例示する一部切欠斜視図である。
【図２】本考案の包装用装飾箱を例示する分解斜視図である。
【図３】本考案の包装用装飾箱の底箱（蓋箱）を例示する一部切欠分解斜視図である。
【図４】本考案の包装用装飾箱の底箱（蓋箱）を例示する一部省略縦断面図である。
【符号の説明】
【００２９】
Ａ      底箱
Ｂ      中枠箱
Ｃ      蓋箱
１      内枠体
２      内装紙
３      底板
４      側板
４ａ    切込線
５      外枠体
６      底片
７      側片
８      接着テープ
９      外装紙
【図１】
0003126869.tif 000003
【図２】
0003126869.tif 000004
【図３】
0003126869.tif 000005
【図４】
0003126869.tif 000006